(57)【要約】【課題】  ページ毎の色味が統一されていないドキュメントに対して、色調整機能により、色相、彩度、明度を調整するとある部分の出力に関しては結果が良好になるかもしれないが、他の部分の出力に関しては逆に悪影響を及ぼす可能性がある。【解決手段】  ドキュメントの各ページのラスタ画像に対して解析を行い、その特徴色を抽出する特徴色抽出手段と、前記特徴色を用いてドキュメントの各ページを任意のグループに分類するための特徴色分類方法を決定する特徴色分類方法決定手段と、特徴色を前記特徴色分類方法決定手段により決定された特徴色分類方法を用いてドキュメントの各ページを特徴色を基に分類するページ分類手段と、前記ページ分類手段によって分類された各グループに対し、色調整を可能とするグループ色調整手段と、を含むことを特徴とする。【選択図】  図２
2009152760.tif 000002
【特許請求の範囲】
【請求項１】
VDP（Variable Data Printing；可変データ印刷）システムにおいて、
VDPデータがプリントシステムによりレンダリングされた後の各ページのラスタ画像に対して解析を行い、その特徴色を抽出する特徴色抽出手段と、
前記特徴色を用いてドキュメントの各ページを任意のグループに分類するための特徴色分類方法を決定する特徴色分類方法決定手段と、
特徴色を前記特徴色分類方法決定手段により決定された特徴色分類方法を用いてドキュメントの各ページを特徴色を基に分類するページ分類手段と、
前記ページ分類手段によって分類された各グループに対し、色調整を可能とするグループ色調整手段と、
を有することを特徴とする情報処理方法。
【請求項２】
前記特徴色分類方法決定手段は、決定手段として抽出された特徴色の明度に対して条件を設けることを特徴とする請求項１記載の情報処理方法。
【請求項３】
前記特徴色分類方法決定手段は、決定手段として抽出された特徴色の彩度に対して条件を設けることを特徴とする請求項１記載の情報処理方法。
【請求項４】
前記特徴色分類方法決定手段は、決定手段として抽出された特徴色の色相に対して条件を設けることを特徴とする請求項１記載の情報処理方法。
【請求項５】
前記特徴色分類方法決定手段は、請求項２、請求項３、請求項４記載の特徴色分類方法決定手段を一つ以上使用して論理演算をすることを特徴とする請求項１記載の情報処理方法。
【請求項６】
VDP（Variable Data Printing；可変データ印刷）システムにおいて、
VDPデータがプリントシステムによりレンダリングされた後の各ページのラスタ画像に対して解析を行い、その特徴色を抽出する特徴色抽出手段と、
前記特徴色を用いてドキュメントの各ページを任意のグループに分類するための特徴色分類方法を決定する特徴色分類方法決定手段と、
特徴色を前記特徴色分類方法決定手段により決定された特徴色分類方法を用いてドキュメントの各ページを特徴色を基に分類するページ分類手段と、
前記ページ分類手段によって分類された各グループに対し、色調整を可能とするグループ色調整手段と、
を有することを特徴とする情報処理装置。
【請求項７】
前記特徴色分類方法決定手段は、決定手段として抽出された特徴色の明度に対して条件を設けることを特徴とする請求項１記載の情報処理装置。
【請求項８】
前記特徴色分類方法決定手段は、決定手段として抽出された特徴色の彩度に対して条件を設けることを特徴とする請求項１記載の情報処理装置。
【請求項９】
前記特徴色分類方法決定手段は、決定手段として抽出された特徴色の色相に対して条件を設けることを特徴とする請求項１記載の情報処理装置。
【請求項１０】
前記特徴色分類方法決定手段は、請求項２、請求項３、請求項４記載の特徴色分類方法決定手段を一つ以上使用して論理演算をすることを特徴とする請求項１記載の情報処理装置。
【請求項１１】
VDP（Variable Data Printing；可変データ印刷）システムにおいて、
VDPデータがプリントシステムによりレンダリングされた後の各ページのラスタ画像に対して解析を行い、その特徴色を抽出する特徴色抽出手段と、
前記特徴色を用いてドキュメントの各ページを任意のグループに分類するための特徴色分類方法を決定する特徴色分類方法決定手段と、
特徴色を前記特徴色分類方法決定手段により決定された特徴色分類方法を用いてドキュメントの各ページを特徴色を基に分類するページ分類手段と、
前記ページ分類手段によって分類された各グループに対し、色調整を可能とするグループ色調整手段と、
を有することを特徴とする情報処理プログラム。
【請求項１２】
前記特徴色分類方法決定手段は、決定手段として抽出された特徴色の明度に対して条件を設けることを特徴とする請求項１記載の情報処理プログラム。
【請求項１３】
前記特徴色分類方法決定手段は、決定手段として抽出された特徴色の彩度に対して条件を設けることを特徴とする請求項１記載の情報処理プログラム。
【請求項１４】
前記特徴色分類方法決定手段は、決定手段として抽出された特徴色の色相に対して条件を設けることを特徴とする請求項１記載の情報処理プログラム。
【請求項１５】
前記特徴色分類方法決定手段は、請求項２、請求項３、請求項４記載の特徴色分類方法決定手段を一つ以上使用して論理演算をすることを特徴とする請求項１記載の情報処理プログラム。
【発明の詳細な説明】
【技術分野】
【０００１】
本発明は、色調整方法に関する。
【背景技術】
【０００２】
近年、電子写真方式の印刷装置やインクジェット方式の印刷装置の高速化、高画質化に伴い、印刷業界に対抗して、プリント・オン・ディマンド（Ｐｒｉｎｔ On  Ｄｅｍａｎｄ：以下、ＰＯＤと表記する。）と呼ばれる、印刷装置で扱うジョブより比較的小ロットのジョブを、大掛かりな装置、システムを用いずに、短納期で取り扱えることを目指して、大規模な印刷機、印刷手法に変わって、例えば、ディジタル複写機やディジタル複合機等のディジタル画像形成装置を最大限に活用して、電子データを用いたディジタルプリントを実現して、それで商売を行うとする市場も出現しつつある。このようなＰＯＤ市場では、従来の印刷業界に比べてディジタル化が融合し、コンピュータを利用した管理、制御が浸透してきており、コンピュータを利用してある程度、印刷業界のレベルに近づこうとしている。このような背景の中で、ＰＯＤ市場には、コピー・プリントショップ印刷会社の印刷サービスと言われるＰＦＰ（Ｐｒｉｎｔ  Ｆｏｒ  Ｐａｙ）や、企業内社内向け印刷サービスと言われるＣＲＤ（Ｃｅｎｔｒａｌｉｚｅｄ  Ｒｅｐｒｏｄｕｃｔｉｏｎ  Ｄｅｐａｒｔｍｅｎｔ）などが存在する。
【０００３】
また、ＰＯＤから派生し、デジタル画像形成装置の特徴を生かしたＶＤＰ（Ｖａｒｉａｂｌｅ  Ｄａｔａ  Ｐｒｉｎｔ）と呼ばれる手法がある。これは、データベース等にある情報にしたがって、プリントする内容をその都度変えることができるものであり、例えば顧客情報にしたがって提供する商品情報を変えるダイレクトメールや、光熱費などの利用状況にしたがって数値を変える利用明細書等に利用することができる。そのため、ダイレクトメール作成等を行う市場において急速に利用が広まっている。
【０００４】
VDPシステムにおけるプリントデータをVDPデータと呼ぶ。また、このVDPデータの作成を行うアプリケーションを、VDPアプリケーションと呼ぶ。VDPアプリケーションは、ユーザーに対しページレイアウトを行うユーザーインタフェースを提供する。ここで、通常の印刷レイアウトアプリケーションでは、ユーザーはこのユーザーインタフェースの中で、文字や画像等の実際のオブジェクトを配置していくが、VDPアプリケーションでは、これらのオブジェクトがデータベースに応じて変化する場合があるので、オブジェクトを配置する領域、すなわち、位置や大きさ、およびその領域の種別（文字、画像、グラフィック等）等を決定していく。これらの領域は、特に、データベースのレコードに応じてその内容が変化するものを「可変領域」と呼び、データベースのレコードに応じてその内容が変化しない領域を「固定領域」と呼ぶ。
【０００５】
可変領域は、データベースのレコードに応じてその内容が変化するように、データベースの各カラムを使った条件式を設定する。たとえば、データベースのあるレコードの「年齢」の値が20〜29であった場合は若い人向けの写真画像をその領域に配置し、60以上であった場合は年配者向けの写真画像をその領域に配置するといった条件式を設定することができる。
【０００６】
以上のようにして、VDPアプリケーションは、ページ上の領域とデータベースを関連付けたVDPデータを作成し、これをデジタル画像形成装置に送る。そして、VDPデータを受けとったデジタル画像形成装置が、VDPデータ内の関連付けにしたがってプリントを行う。
【０００７】
またプリンタドライバには色調整という機能があり、出力物、全ページに対して全体的に色相や彩度、明度を変更することが可能である。例えば出力物が全体的にシアンがかっている場合、この機能でレッドよりに調整することによってユーザの意図した色を出力することが可能である。
【０００８】
しかしページ毎の色味が統一されていないドキュメントに対して、色調整機能により、色相、彩度、明度を調整するとある部分の出力に関しては結果が良好になるかもしれないが、他の部分の出力に関しては逆に悪影響を及ぼす可能性がある。例えば、あるページに出力が青寄りになる色調整をかけた場合、赤系統の色の部分の調整結果は良好でも、黄系統の色の部分の調整結果は意図しないものになる可能性がある。VDPデータは可変部領域に様々な色味のオブジェクトが配置されるため、全体として色味が統一されていない可能性がある。よって、あるVDPデータ全体に共通の色調整をかけると望ましくない結果のページが出力される可能性がある。そこで、各ページごとに調整をするという方法が考えられるが、出力数が膨大である場合、調整作業の負担が大きいため種々の対策が必要となる。
【０００９】
上記の課題に対して、文字、線、網掛等をグループ化し、１回の操作で１つのカラー文書全体の要素の色調を変更可能とする［特許文献１］や、文字、線、網掛等をグループ化し、１回の操作で１つのカラー文書全体の要素の色調を変更可能とするといった［特許文献２］の技術がある。
【特許文献１】特開２００３−２００６１４
【特許文献２】特登録０２７３３４６３
【発明の開示】
【発明が解決しようとする課題】
【００１０】
前記したように、VDPデータのように全体として色味が統一されていないデータに対して、色相や彩度、明度を調整するとある出力ページでは結果が良好になるかもしれないが、それにより他の出力ページに悪影響を及ぼす可能性がある。また各ページごとに調整をすると、出力数が膨大である場合に調整作業の負担が大きくなる。
【課題を解決するための手段】
【００１１】
前記課題を解決するために、本発明の情報処理方法は、VDP（Variable Data Printing；可変データ印刷）システムにおいて、VDPデータがプリントシステムによりレンダリングされた後の各ページのラスタ画像に対して解析を行い、その特徴色を抽出する特徴色抽出手段と、前記特徴色を用いてドキュメントの各ページを任意のグループに分類するための特徴色分類方法を決定する特徴色分類方法決定手段と、特徴色を前記特徴色分類方法決定手段により決定された特徴色分類方法を用いてドキュメントの各ページを特徴色を基に分類するページ分類手段と、前記ページ分類手段によって分類された各グループに対し、色調整を可能とするグループ色調整手段と、を有することを特徴とする。
【発明の効果】
【００１２】
色調整機能を全データに対して統一的に行ってしまうことを避け、且つ全ての出力データに対して色調整をするという煩雑さを無くし、作業量を軽減する。
【発明を実施するための最良の形態】
【００１３】
＜実施形態＞
図１は、本発明を適用できるVDPシステムの構成の一例を示すブロック図である。
【００１４】
ここには、ネットワークに接続されたプリントサーバ、クライアントＰＣ、データベースサーバ、カラーまたはモノクロプリンタがそれぞれ１つまたは複数個存在している。
【００１５】
プリントサーバはクライアントPCからプリントデータを受信し、プリンタで出力されるまでの管理を行う。
【００１６】
クライアントＰＣは、図２で詳しく説明される構成を持つコンピュータで、上記で説明したVDPアプリケーションが実行される。
【００１７】
データベースサーバは、VDPデータが参照するデータベースを含んでいる。VDPデータとデータベースの関連付けは、VDPアプリケーションで行われる。
【００１８】
このＶＤＰシステムを用いて実際にＶＤＰを行うワークフローを説明する。
【００１９】
まず、クライアントＰＣ上のＶＤＰアプリケーションでＶＤＰデータを作成する。
【００２０】
次に作成されたＶＤＰデータと、そのＶＤＰデータをプリントするために必要なデータベースサーバ中のデータをプリントサーバに送信する。
【００２１】
プリントサーバは受信したＶＤＰデータをプリントデータに変換し、必要に応じてプリントジョブの履歴やキャッシュを生成する。
【００２２】
最後にプリントサーバからプリンタへプリントデータを送信し、プリンタにてプリントデータを紙として出力する。
【００２３】
次に、クライアントＰＣについて図２を用いて説明する。
【００２４】
クライアントＰＣのハードウェアは、様々な接続方法や、様々なバスやインターフェースを有した構成が一般に知られており、ここで紹介するハードウェア構成は一例である。
【００２５】
点線で囲まれた部分がマザーボードであり、ＣＰＵは、キャッシュメモリを介してノースブリッジ、サウスブリッジと通信しながら、このクライアントＰＣのソフトウェア全体を制御している。ここで、ノースブリッジとサウスブリッジのデータのやり取りやクライアントＰＣ内部でのデータ一次保存のためメモリ（RAM）が使用されている。
【００２６】
次にノースブリッジは、汎用ＰＣＩバスを持っており、オプション（後付け）でＳＣＳＩ外部装置などを接続することができる。ノースブリッジは、ディスプレイを表示させるためのグラフィックコントローラにも接続されている。
【００２７】
更に、サウスブリッジは、別の汎用ＰＣＩバスを持っており、こちらには、ＮＩＣを介してネットワーク接続が可能となっている。また、サウスブリッジは、ＩＤＥバスも持っており、クライアントＰＣの制御ソフトウェアを初め、様々なデータを格納しておくハードディスクドライブ（ＨＤＤ）や、クライアントＰＣのインストール時などのデータ読み出しや大量データのデータ保存（アーカイブ）などに役立つＣＤ−ＲＯＭ（または、ＣＤ−Ｒ、ＣＤ−Ｒ／Ｗ）ドライブなどが接続される。また、ＵＳＢポートは、ＵＳＢメモリに代表されるＵＳＢ外部装置にアクセスすることが可能になる。
【００２８】
そして、Ｉ／Ｏ部を経由してキーボードやマウスあるいは、フロッピー（登録商標）ディスクドライブ（Ｆ／Ｄドライブ）につながって、データの入出力を行うこともできる。
【００２９】
次に、図２のクライントＰＣで実行されるＶＤＰアプリケーションについて、図３のユーザーインタフェースを用いて説明する。
【００３０】
ＶＤＰアプリケーションは、様々な機能やユーザーインタフェースを持つものがありここで紹介するものは一例である。
【００３１】
図３は、ＶＤＰアプリケーション上であるＶＤＰデータを編集しているユーザーインタフェースをあらわしたものである。ＶＤＰアプリケーションの編集画面には、編集エリア301上にドキュメントの境界を示すドキュメントエリア302があり、ユーザーはこのドキュメントエリア内にオブジェクトを配置してＶＤＰデータを作成する。
【００３２】
図３では、オブジェクトが4つ配置されている。303、304は可変領域であり、レコードテーブルの内容に従ってそれぞれテキストや張り付けられる画像ファイルが変化する部分である。そのため、可変領域の実データ（画像やテキスト）は編集画面上に登場せず、その領域の位置だけがわかるようになっている。
【００３３】
305、306は固定領域であり、レコードテーブルの内容に依存せずに常に同じオブジェクトが適用される。そのため、編集画面上でも実データ（画像やテキスト）が配置されている。
【００３４】
ここで通常のＤＴＰアプリケーションとの違いとして特徴的なのは、可変領域があることである。可変領域は、レコードテーブルの内容に応じてそのオブジェクトが変化できるように、固有の情報を持っている。固有情報は、主にそのオブジェクトの属性（テキスト、画像、グラフィック）と、レコードテーブルとの関係をあらわす条件等で構成される。
【００３５】
次に、本発明を使用したVDPシステムにおける色調整技術について、プリンタドライバに本発明を適用した場合について説明する。
【００３６】
図４は、本発明であるグループ調整処理機能を使用するための準備フローの一つであり、プリンタドライバの設定処理である。このプリンタドライバの設定処理はユーザーがプリンタドライバに対して行う処理である。
【００３７】
401はユーザーはプリンタドライバに対して、プリンタドライバの設定処理を開始することを伝える処理である。
【００３８】
402はユーザーは本発明であるグループ色調整モードを使用するかどうか選択する処理である。図５がその際のユーザーインターフェースの例である。
【００３９】
403はユーザーは設定が完了したことをプリンタドライバに伝える処理である。
【００４０】
図６は、本発明であるグループ色調整機能を使用するための準備フローの一つであり、プレ印刷処理である。このプレ印刷処理はプリントシステム内での処理である。
【００４１】
601は入力されたドキュメントに任意のIDを割り振る処理である。任意のIDの計算には例えばハッシュ関数などを使用し、ハッシュ値をドキュメントIDとする。
【００４２】
602は入力されたドキュメントデータに対してPDL解釈や色変換処理など、各種画像処理を行う処理である。
【００４３】
603は各種画像処理が行われたドキュメントをラスタ画像に変換する処理である。
【００４４】
604は生成されたラスタ画像をメモリ又はディスクに保存する処理である。
【００４５】
605は生成されたラスタ画像をユーザー確認用に出力する処理である。
【００４６】
606はメモリ又はディスクに保存されたラスタ画像を読み込んでそのラスタ画像の特徴色を抽出し、ドキュメントID計算処理で求めたドキュメントIDとラスタ画像のページ番号と特徴色をドキュメントID/ページ番号/特徴色テーブルに保存する処理である。
【００４７】
図７は606特徴色抽出処理でメモリ又はディスクに保存するデータのデータ構造を示したものである。特徴色抽出処理はどのようなものでもよいが、例として図８のような特徴色抽出フローを挙げる。801は全画素のL*a*b*変換処理では、ラスタ画像の全画素に対してデバイスプロファイルをあててL*a*b*に変換する処理である。図９がこの処理のイメージ図である。
【００４８】
802は主成分ベクトル算出処理ではその全画素に対する主成分ベクトルを算出する処理である。803では802主成分ベクトル算出処理により算出された主成分ベクトルをL*a*b*の値に変更する。こうしてできたL*a*b*の値を特徴色とする。
【００４９】
図１０は、本発明であるグループ色調整のフローの一つであり、プリンタドライバの設定処理である。このプリンタドライバ設定処理はユーザーがプリンタドライバに対して行う処理である。この処理はユーザーがドキュメントの出力指示を出した後に行う処理である。
【００５０】
1001はユーザーから出力指示のあったドキュメントが図６で示したプレ印刷処理を行ったドキュメントかどうか判断する処理であり、ドキュメントに対して601ドキュメントID計算処理と同じ処理でドキュメントのIDを計算し、その値がドキュメントID/ページ番号/特徴色テーブルに存在するかどうかを検索する。ドキュメントID/ページ番号/特徴色テーブルに本処理で求めたドキュメントIDが含まれていない場合は、グループ色調整処理フローには入らず、プリンタドライバの設定にそって既存の印刷処理を行う。
【００５１】
1002はグループ色調整設定処理であり、入力ドキュメントを任意のグループに分類するためのパラメーターをユーザーが指示する処理である。
【００５２】
図１１が1002グループ色調整設定処理の詳細フローである。
【００５３】
1101は特徴色分類方法決定処理にて、特徴色を分類するための方法を決定する処理である。1102はページ分類処理にて前記1101特徴色分類方法決定処理より決められた特徴色分類方法を用いて、ドキュメントの各ページを分類する処理である。
【００５４】
図１２が1002の処理を行うためのユーザーインターフェイスである。1201はドキュメント分類方法を指定するためのプルダウンメニューで内容は「新規」、「ユーザー設定」（複数可）、「デフォルト」であり、ユーザーは一つを選択する。1202は明度境界指定バーであり、1203はその境界追加ボタンである。1203境界追加ボタンを押すと明度境界指定バーに境界を示す横棒が現れ、ユーザーはこれをマウスのドラッグ動作によって上下に移動することができる。またこの横棒はマウスの右クリックのメニューにより削除することができる。明度は100〜0の範囲をとり100が一番明るくL*a*b*のL*に対応している。1204は彩度境界指定バーであり、1205はその境界追加ボタンである。動作は1202明度境界指定バーと同じである。彩度は0〜MAXを取る。この値は割合を示している。1206は色相境界指定バーであり、1207はその境界追加ボタンである。バーが丸くなっているが、動作は1202明度境界指定バーと同じである。バーの単位はマンセル色相値である。1204彩度境界指定バーと1206色相境界指定バーにより設定された境界は、L*a*b*の(a*,b*)に置き換えられる。1208は分類数であり、1202明度境界指定バーと1204彩度境界指定バーと1206色相境界指定バーによりいくつのグループができたかを示すものである。明度の境界が１つ、彩度の境界が２つ、色相の境界が３つの場合、分類数は（１＋１）×（２＋１）×３＝１８となる。この値は境界追加ボタンが押されるまたは境界を示す横棒が削除される度に動的に変化する。1214は設定保存ボタンであり、1202明度境界指定バーと1204彩度境界指定バーと1206色相境界指定バーの設定情報をファイルとして保存することができる。保存したファイルは1201ドキュメント分類方法のプルダウンメニューから呼び出すことが可能である。
【００５５】
図１３はグループ設定を保存する際のデータ構造である。
【００５６】
1201,1202,1203,1204,1205,1206,1207,1208,1214は前記1101特徴色分類方法決定処理に関わるユーザーインターフェースである。1209は分類されたグループに対してのプルダウンメニューでである。プルダウンメニューの値はそのグループに所属するドキュメントのページ番号である。ページ番号を表示するために、1202明度境界指定バーと1204彩度境界指定バーと1206色相境界指定バーが変更される度に、ドキュメントID/ページ番号/特徴色テーブルの特徴色が分割されたどのグループに所属されるかを計算してページ番号/グループ番号テーブルに保存される。
【００５７】
図１４はページ番号/グループ番号テーブルのデータ構造である。1211の設定ボタンは、そのグループに対して色調整を行うためのボタンでああリ、このボタンを押すと、図１５が表示され、色調整をすることができる。図１５の1501OKボタンが押されると、グループ番号と色調整パラメーターがグループ番号/色調整パラメータテーブルに保存される。グループ番号/色調整パラメータテーブルには全グループのデータが入っている。グループ番号/色調整パラメータテーブルのデータ構造を図１６に示す。1211が前記1102ページ分類処理の結果を表示するユーザーインターフェイスである。1213プリントボタンを押すとプリントが開始される。
【００５８】
図１７は本発明であるグループ色調整のフローの一つであり、印刷処理である。図１２の1213プリントボタンが押された後の処理である。1701は各種画像処理であり、色調整処理を除いた処理である。ここの処理の一部は、1702グループ色調整処理の後に来る可能性もある。1702グループ色調整処理では、ページ番号/グループ番号テーブルを参照して処理するドキュメントのページ番号からグループ番号を割り出す。さらに割り出したグループ番号を基にグループ番号/色調整パラメータテーブルを参照して色調整パラメータテーブルを割り出す。そして割り出した色調整パラメーターを用いてそのページに対して色調整処理を行う。1703はレンダリング処理である。1704は画像出力処理である。
【００５９】
図１８は処理とデータの関係図である。
【図面の簡単な説明】
【００６０】
【図１】本発明を適用できるVDPシステムの構成の一例を示すブロック図。
【図２】クライアントＰＣの構成の一例を示すブロック図。
【図３】ＶＤＰアプリケーションのユーザーインタフェースの例。
【図４】本発明であるグループ調整処理機能を使用するための準備フロー。
【図５】グループ色調整モードを使用するかどうか設定するためのユーザーインターフェースの例。
【図６】本発明であるグループ色調整機能を使用するための準備フロー。
【図７】図６ 606特徴色抽出処理で保存するデータのデータ構造。
【図８】特徴色抽出処理の一例のフロー。
【図９】図８の処理のイメージ図。
【図１０】本発明、グループ色調整の一部である、プリンタドライバの設定処理フロー。
【図１１】図１０ 1002グループ色調整設定処理の詳細フロー。
【図１２】図１０ 1002の処理を行うためのユーザーインターフェイスの例。
【図１３】グループ設定を保存する際のデータ構造。
【図１４】ページ番号/グループ番号テーブルのデータ構造。
【図１５】色調調整をするためのインターフェース例。
【図１６】グループ番号/色調整パラメータテーブルのデータ構造。
【図１７】本発明、グループ色調整の一部である、印刷処理フロー。
【図１８】処理とデータの関係図。
【図１】
2009152760.tif 000003
【図２】
2009152760.tif 000004
【図３】
2009152760.tif 000005
【図４】
2009152760.tif 000006
【図５】
2009152760.tif 000007
【図６】
2009152760.tif 000008
【図７】
2009152760.tif 000009
【図８】
2009152760.tif 000010
【図９】
2009152760.tif 000011
【図１０】
2009152760.tif 000012
【図１１】
2009152760.tif 000013
【図１２】
2009152760.tif 000014
【図１３】
2009152760.tif 000015
【図１４】
2009152760.tif 000016
【図１５】
2009152760.tif 000017
【図１６】
2009152760.tif 000018
【図１７】
2009152760.tif 000019
【図１８】
2009152760.tif 000020